(57)【要約】  ガスヒータ／クーラ装置およびその製造方法が提供される。ガスヒータ／クーラ装置が、熱伝達ブロック内部で流体を移送するように構成されるガスパイプを有する。ガスパイプの近傍で冷却パイプを通る流体流れ、または、ファンによりガスパイプに向かうように押圧される流体流れが、流体を冷却する。ガスパイプに近接して熱伝達ブロック内部に配置される電気ヒータが、放射される熱を介してその中を流れる流体を加熱することができる。【選択図】図２
2014521914.tif 000002
【特許請求の範囲】
【請求項１】
熱伝達ブロックと、
前記熱伝達ブロックの内部を通して流体を移送するように構成されるガスパイプと、
前記熱伝達ブロックの内部を通して冷却剤を移送するように構成される冷却剤パイプであって、前記冷却剤パイプが、冷却剤が前記冷却剤パイプを通って流れることによる熱交換を介することによりその中を流れる流体を冷却するためにガスパイプの近傍に位置する、冷却剤パイプと、
放射熱を介してその中を流れる流体を加熱するために前記ガスパイプに近接して前記熱伝達ブロック内部に位置する電気ヒータと
を備えるガスヒータ／クーラ装置。
【請求項２】
前記熱伝達ブロックから前記ガスパイプが出るところに近接して位置しかつ流体の出口温度を測定するように構成される温度センサ、および、
前記熱伝達ブロックから前記冷却剤パイプが出るところに近接して位置しかつ冷却剤の出口温度を測定するように構成される温度センサ
のうちの少なくとも１つをさらに備える、請求項１記載のヒータ／クーラ。
【請求項３】
前記ガスパイプおよび／または前記冷却剤パイプに沿う種々の位置で温度を測定するように構成される１つまたは複数の温度センサと、
前記温度センサから温度情報を収集して前記収集された情報を伝送するように構成される温度情報の取得および伝送モジュールと
をさらに備える、請求項１または２記載のガスヒータ／クーラ。
【請求項４】
前記熱伝達ブロックから前記冷却剤パイプが出るところに近接して位置しかつ冷却剤の出口温度を測定するように構成される温度センサと、
前記温度センサに接続され、かつ、前記出口温度が所定の温度範囲の外にある値を有する場合にアラーム信号を出力するように構成される冷却剤温度アラーム、および、
前記温度センサに接続され、かつ、前記出口温度の最新の値に基づいて、前記冷却剤パイプを通して所定の時間内で移送される冷却剤の量を調整するように構成される冷却剤流れレギュレータ
のうちの少なくとも１つと
をさらに備える、前記請求項のいずれか１項記載のガスヒータ／クーラ。
【請求項５】
前記熱伝達ブロックから前記ガスパイプが出るところに近接して位置しかつ流体の出口温度を測定するように構成される温度センサと、
前記温度センサに接続され、かつ、流体の前記出口温度が所定の温度範囲の外にある値を有する場合にアラーム信号を出力するように構成されるガス温度アラームと
をさらに備える、前記請求項のいずれか１項記載のガスヒータ／クーラ。
【請求項６】
前記熱伝達ブロックから前記ガスパイプが出るところに近接して位置しかつ流体の出口温度を測定するように構成されるか、または、前記熱伝達ブロックから前記冷却剤パイプが出るところに近接して位置しかつ冷却剤の出口温度を測定するように構成される、温度センサと、
前記電気ヒータに電力を提供するように構成される電力供給装置と、
前記温度センサに接続されかつ前記電力供給装置と前記電気ヒータとの間に挿置されるスイッチであって、前記スイッチが、前記出口温度が所定の値を超える場合に前記電気ヒータへの電力を停止するように構成される、スイッチと
をさらに備える、前記請求項のいずれか１項記載のガスヒータ／クーラ。
【請求項７】
前記ガスパイプおよび／または前記冷却剤パイプに沿う種々の位置で温度を測定するように構成される１つまたは複数の温度センサと、
前記冷却剤パイプを通して所定の時間内で移送される冷却剤の量を調整するように構成される冷却剤流れレギュレータと、
前記電気ヒータに電力を提供するように構成される電力供給装置と、
温度センサと、前記冷却剤流れレギュレータと、前記電力供給装置とに接続される制御装置であって、前記制御装置が、前記温度センサから受信される温度情報に基づいて前記冷却剤流れレギュレータおよび前記電力供給装置を制御するように構成される、制御装置と
をさらに備える、前記請求項のいずれか１項記載のガスヒータ／クーラ。
【請求項８】
前記ガスパイプおよび前記冷却剤パイプが前記熱伝達ブロックの内部で同軸の螺旋形状を有する、前記請求項のいずれか１項記載のガスヒータ／クーラ。
【請求項９】
熱伝達ブロックと、
前記熱伝達ブロックの内部を通して流体を移送するように構成されるガスパイプと、
前記ガスパイプに向かって空気流れを押圧するように構成されるファンと、
放射される熱を介して中を流れる流体を加熱するために、前記ガスパイプに近接して前記熱伝達ブロック内部に配置される電気ヒータと
を備えるガスヒータ／クーラ装置。
【請求項１０】
中を通過する冷却剤流れにより、ガスパイプ内部を流れる流体を冷却することを可能にするように構成される熱伝達ブロック内部にガスパイプを設置するステップと、
前記熱伝達ブロック内部で前記ガスパイプに近接するように電気ヒータを設置するステップと
を含む、ガスヒータ／クーラ装置を製造する方法。
【発明の詳細な説明】
【技術分野】
【０００１】
本明細書で開示される主題の実施形態は、概して、パイプを通って流れる流体の温度を変化させるのに使用される装置および方法に関し、より詳細には、同じ設備を用いて加熱および／または冷却のいずれも実施することができる装置および方法に関する。
【背景技術】
【０００２】
化石燃料は主要なエネルギー源であり続けており、したがって、需要が増加することに平行して新たなプロダクションフィールド（ｐｒｏｄｕｃｔｉｏｎ  ｆｉｅｌｄ）を開発することに対する関心も高まっている。地上ベースのプロダクションフィールドの有用性が限られることから、技術的に困難ではあるが、莫大な量の沖合の埋蔵分をタッピングすることがより必要不可欠となっている。リグ上のスペースが限られることから、沖合オイルおよび沖合ガスを探査および利用するには、従来の地上ベースのオイル設備およびガス設備と比較してよりコンパクトな設備が必要となる。
【０００３】
図１に示される従来のガス冷却設備１では、コンテナ１０が、冷却剤が循環するときに通るための複数のパイプ２０を収容する。冷却剤は水であってよい。その温度を低下させることが必要となるオイルまたはガスの流体流れが入口３０を通して投入され、出口４０を通して外に出される。入口３０から出口４０までのその通路において、流体流れがパイプ２０を囲む。冷却剤が入口プレナム６０内の冷却剤入口５０を通してコンテナ１０内に投入され得、次いで、チューブシート７０によりパイプ２０を通って流れるように分割され得る。同様に、パイプ２０を通って循環した後、冷却剤が出力チューブシートを通って出力プレナム８０に入ることができ、冷却剤出口９０を介して外に出され得る。出力チューブシートはチューブシート７０と共に単一部品として形成される。
【０００４】
ガス冷却設備１では、入力プレナム６０および出力プレナム８０がコンテナ１０の同じ側に位置し、Ｕ形のパイプ２０がコンテナ１０に沿って延在する。パイプ２０がコンテナ内部でバッフル９５によって支持され得る。冷却剤は通常は初期温度に戻されて再循環される。
【０００５】
ガスまたはオイルの流れによって囲まれるパイプ２０はパイプ壁を劣化させ、それによりそこを介する漏洩を発生させる可能性があり、さらにそれによりガスまたはオイルの流れおよび冷却剤の流れの両方を汚染する可能性がある。
【０００６】
抽出された化石燃料を処理する際、ガスまたはオイルの流れを冷却または加熱することが必要となる可能性がある。従来、加熱設備は冷却設備から分離される。２つの分離される設備が存在することには、コストが増大する、およびスペース要件が厳しくなり、そのスペースが不十分になる可能性がある（例えば、沖合で動作するリグ上で）という欠点がある。
【０００７】
また、２つの分離される設備の従来の使用法では、ガス流れまたはオイル流れの温度を即座に調整することの可能性が制限される。
【０００８】
したがって、上で説明した問題および欠陥を回避するために、ガスまたはオイルの流れを加熱することまたは冷却することのいずれにも使用され得る装置および方法を提供することが望まれる。
【先行技術文献】
【特許文献】
【０００９】
【特許文献１】米国特許第７６６１４６０号明細書
【発明の概要】
【００１０】
例示の一実施形態によると、ガスヒータ／クーラ装置が、熱伝達ブロックと、ガスパイプと、冷却剤パイプと、電気ヒータとを有する。ガスパイプが、熱伝達ブロックの内部を通して流体を移送するように構成される。冷却剤パイプが熱伝達ブロックの内部を通して冷却剤を移送するように構成され、この冷却剤パイプが、冷却剤が冷却剤パイプを流れることによる熱交換を介することによりその中を流れる流体を冷却するためにガスパイプの近傍に位置する。電気ヒータが、放射熱を介してその中を流れる流体を加熱するためにガスパイプに近接して熱伝達ブロック内部に位置する。
【００１１】
別の例示の一実施形態によると、ガスヒータ／クーラ装置が、熱伝達ブロックと、ガスパイプと、ファンと、電気ヒータとを有する。ガスパイプが、熱伝達ブロックの内部を通して流体を移送するように構成される。ファンが、ガスパイプに向かって空気流れを押圧するように構成される。電気ヒータが、放射熱を介してその中を流れる流体を加熱するためにガスパイプに近接して熱伝達ブロック内部に位置する。
【００１２】
別の例示の一実施形態によると、ガスヒータ／クーラ装置を製造する方法が提供される。この方法が、中を通過する冷却剤流れにより、ガスパイプ内部を流れる流体を冷却することを可能にするように構成される熱伝達ブロック内部にガスパイプを設置するステップを含む。この方法が、熱伝達ブロック内部でガスパイプに近接するように電気ヒータを設置するステップをさらに含む。
【００１３】
本明細書の一部に組み込まれかつ本明細書の一部を構成する添付図面が１つまたは複数の実施形態を示しており、また、本記述と併せて、これらの実施形態を説明する。
【図面の簡単な説明】
【００１４】
【図１】従来のガス冷却設備を示す概略図である。
【図２】一実施形態によるヒータ／クーラ装置を示す概略図である。
【図３】一実施形態によるヒータ／クーラ装置を製造する方法を示す流れ図である。
【図４】別の一実施形態によるヒータ／クーラ装置を示す概略図である。
【図５】別の一実施形態によるヒータ／クーラ装置を示す概略図である。
【図６】別の一実施形態によるヒータ／クーラ装置を示す概略図である。
【図７】別の一実施形態によるヒータ／クーラ装置を示す概略図である。
【発明を実施するための形態】
【００１５】
例示の実施形態の以下の説明は添付図面を参照する。異なる図面の同じ参照符号は同一または類似の要素を示す。以下の詳細な説明は本発明を限定しない。代わりに、本発明の範囲は添付の特許請求の範囲によって定義される。以下の実施形態は、単純化のために、ガス処理システムの用語および構造に関連させて考察される。しかし、以下で考察される実施形態はこれらのシステムのみに限定されず、化石燃料（流体）の流れを加熱することまたは冷却することの両方を行うことができる縮小されるサイズの設備を必要とする別のシステムにも適用され得る。
【００１６】
本明細書を通して「一実施形態」を参照することは、一実施形態に関連して説明される特定のフィーチャ、構造または性質が、開示される主題の少なくとも１つの実施形態に含まれることを意味する。したがって、本明細書を通して「一実施形態」というフレーズが種々の箇所に現れることは、必ずしも同一の実施形態を参照するというわけではない。また、特定のフィーチャ、構造または性質は、１つまたは複数の実施形態において任意適切に組み合わされ得る。
【００１７】
図１に関連させて上で考察したように、従来技術の設備は、加熱および冷却をそれぞれ行うのに設備の分離される部分が使用されることから、嵩高になるという欠点を有する。また、冷却剤を運ぶパイプが流体流れに露出されることによりパイプが経時的に劣化し、それにより相互汚染に繋がるような漏洩（ｃｒｏｓｓ−ｃｏｎｔａｍｉｎａｔｉｎｇ  ｌｅａｋ）が発生する可能性がある。
【００１８】
図２に示される一実施形態によると、ガスヒータ／クーラ装置１００が熱伝達ブロック１１０を有し、その内部に、その温度を制御する必要があるガス（あるいは、別の化石燃料または流体）を運ぶパイプ１２０が存在する。パイプ１２０が、パイプ１２０のより長い部分を温度変化させる物質（ｔｅｍｐｅｒａｔｕｒｅ  ｃｈａｎｇｉｎｇ  ａｇｅｎｔ）により長く露出させるように設計される形状を有する。例えば、パイプ１２０は螺旋形状を有することができる（しかし、その形状に限定されない）。パイプ１２０は好適には良好な熱伝導体である材料から作られ、それによりパイプ１２０の材料の温度を改善するために使用されるエネルギーが低減され、その時間が短縮される。例えば、パイプ１２０はステンレス鋼で作られ得る。
【００１９】
冷却剤は、入口１３０を介して熱伝達ブロック１１０に入りかつ出口１４０を介して熱伝達ブロックから出る流体流れである。加熱手段はパイプ１２０の近傍に位置する電気ヒータ１５０である。したがって、パイプ１２０内のガスが、熱伝達ブロック１１０を通過する間に、流体流れによって冷却され得、および／または、電気ヒータ１５０によって放射される熱によって加熱され得る。
【００２０】
図３に示される別の一実施形態では、ガスヒータ／クーラ装置を製造する方法２００が、Ｓ２１０のところの、冷却剤流れがそこを通過するのを可能にするように構成される熱伝達ブロックの内部にガスパイプを設置するステップを含む。さらに、方法２００が、Ｓ２２０のところの、熱伝達ブロックの内部かつガスパイプの近傍に電気ヒータを設置するステップを含む。
【００２１】
方法２００はまた、ガスパイプに沿うおよび／または冷却剤流れの経路に沿う種々の位置に温度センサを設置するステップを含むことができる。温度センサは、ガスパイプ１２０内のガスと流体流れとの間で熱交換が行われる領域の前後に位置してよく、それにより、ガスの温度変化および冷却剤の温度変化が測定される。
【００２２】
方法２００が冷却剤流れの経路上に流体レギュレータを設置するステップをさらに含むことができ、流体レギュレータが、熱伝達ブロックに入る冷却剤流れの量を修正するように構成される。流体レギュレータが、冷却剤の温度および／または熱伝達ブロックから出るガスの温度を測定するように構成される１つまたは複数のセンサに接続され得、それにより、流体レギュレータが、１つまたは複数のセンサから受信される温度情報に基づいて冷却剤流れの量を調整することが可能となる。
【００２３】
方法２００はまた、電気ヒータに電力を提供するように構成される電力供給装置と、１つまたは複数の温度センサから受信される温度情報に基づいて電力供給装置を停止させるように構成されるスイッチとを設置するステップを含むことができる。
【００２４】
別の一実施形態では、方法２００が、流量レギュレータと、電力供給装置と、スイッチと、１つまたは複数の温度センサとを設置するステップ、ならびに、これらの構成要素を制御装置に接続するステップを含むことができる。制御装置は、ガスパイプ内のガスの標的出口温度（ｏｕｔｐｕｔ  ｔｅｍｐｅｒａｔｕｒｅ）に達することを目的として、センサによって測定される温度に基づき、冷却剤の量および電気ヒータに供給される電力を調整するように流量レギュレータおよび電力供給装置を制御するように構成される。
【００２５】
方法２００はまた、装置内にアラームを設置するステップを含むことができる。例えば、冷却剤温度アラームが、冷却剤流れの出口温度を測定するように配置および構成される冷却剤出口温度センサに接続され得る。冷却剤温度アラームは、出口温度が所定の温度範囲の外にある値を有する場合にアラーム信号を出力するように構成され得る。別の実施例では、スイッチが、ガスパイプの内部を流れる流体の出口温度を測定するように配置および構成される冷却剤出口温度センサに接続され得る。スイッチは電力供給装置と電気ヒータとの間に挿置され得、また、出口温度が所定の値を超える場合にヒータへの電力を停止するように構成され得る。
【００２６】
図４に示される別の例示の一実施形態によると、ガスヒータ／クーラ装置３００が熱伝達ブロック３１０を有し、その内部に、その温度を制御する必要があるガスを運ぶパイプ３２０が沈められる。熱伝達ブロックはアルミニウムの鋳造部片で作られ得る。パイプ３２０が入口３２２を介して熱伝達ブロック３１０に入り、出口３２４を介して熱伝達ブロック３１０から出る。入口３２２近くでは、熱伝達ブロック３１０の内部または外部に、第１の温度センサ３２６がパイプ３２０内のガスの入口温度（ｉｎｐｕｔ  ｔｅｍｐｅｒａｔｕｒｅ）を測定するように配置され得る。出口３２４近くでは、熱伝達ブロック３１０の内部または外部に、第２の温度センサ３２８がパイプ３２０内のガスの出口温度を測定するように配置され得る。例えば、パイプ３２０内のガスの入口温度は約２５０℃であってよく、ガスの出口温度は約１５０℃であってよい。
【００２７】
冷却剤が流れるときに通るための別のパイプ３３０が、熱伝達ブロック３１０内部のパイプ３２０の近傍に配置される。パイプ３２０およびパイプ３３０は、それらの間での熱交換を最大するために互いに実質的に平行して延びる螺旋形状を有することができる。冷却剤は鉱油であってよい。パイプ３３０は入口３３２を介して熱伝達ブロック３１０に入り、出口３３４を介して熱伝達ブロック３１０から出る。入口３３２近くでは、第３の温度センサ３３６が、パイプ３３０内の冷却剤の入口温度を測定するために熱伝達ブロック３１０の内部または外部に配置され得る。出口３３４近くでは、第４の温度センサ３３８が、パイプ３３０内の冷却剤の出口温度を測定するために熱伝達ブロック３１０の内部または外部に配置され得る。例えば、パイプ３３０内の冷却剤の入口温度は約７０℃であってよく、冷却剤の出口温度は約７５℃であってよい。
【００２８】
熱伝達ブロックはアルミニウムの鋳造部片、または別の材料もしくは環境によって作られてもよい。
【００２９】
ガス温度アラーム３２９および／または冷却剤温度アラーム３３９は、出口近くに位置するそれぞれの温度センサに付随してよい。これらのアラームは、ガスの出口温度および冷却剤の出口温度がそれぞれ対応する所定の温度範囲の外にある値を有する場合すなわち対応するより高い値またはより低い値を超える場合に、アラーム信号を出力するように構成される。アラーム信号は視覚的または聴覚的指示であってよく、すなわち、冷却剤流れおよび／または電気ヒータ３４０に供給される電力を調整することを始動させることができる。
【００３０】
パイプ３２０および３３０は好適には良好な熱伝導体である材料（または、等しい材料）から作られ、それによりパイプ３２０および３３０の温度を改善するために使用されるエネルギーが低減され、その時間が短縮される。例えば、パイプ３２０および３３０はステンレス鋼で作られ得る。
【００３１】
電気ヒータ３４０がやはりパイプ３２０の近傍に配置され、好適には、パイプ３３０に向かう熱伝達を最小にしながらパイプ３２０に向かう熱伝達を最適化するような形で配置される。したがって、熱伝達ブロック３１０の内部では、パイプ３２０内のガスが、そのガスより低い温度を有するパイプ３３０内の冷却剤により冷却され得、および／または、電気ヒータ３４０によって放射される熱によって加熱され得る。
【００３２】
ガスヒータ／クーラ装置３００は、電気ヒータ３４０に電力を提供する電力供給装置３５０と、熱伝達ブロック３１０に入る冷却剤を通過させるためのパイプに沿って位置する流れレギュレータ３６０とをさらに有する。流れレギュレータ３６０は、熱伝達ブロック３１０の内部でパイプ３３０に沿って流れる冷却剤の量を制御するように構成される。流れレギュレータは冷却剤パイプ壁内のオリフィスであってよく、この場合、オリフィスの一領域が調整可能である。例えば、冷却剤（鉱油）の流量は約２８ｌ／分であってよい。
【００３３】
温度センサ３２６、３２８、３３６および３３８、電力供給装置３５０、ならびに、流れレギュレータ３６０は制御装置３７０に接続され得る。制御装置３７０は、温度センサ３２６、３２８、３３６および３３８から受信される温度値に基づいて電力供給装置３５０および流れレギュレータ３６０に信号を送信することができ、それにより、熱伝達ブロック３１０から出るガスが標的の温度に達することができる。
【００３４】
ガスヒータ／クーラ装置３８０の別の概略図が図５に示される。図４に関連させて既に説明した要素に加えて、ガスヒータ／クーラ装置３８０が、電力供給装置３５０と電気ヒータ３４０との間に挿置されるスイッチ３８２を有し、このスイッチ３８２は電気ヒータへの電力を停止するように構成される。例えば、（１）ガスまたは冷却剤の出口温度が所定の値を超える場合、（２）自動制御装置から信号を受信する場合、または、（３）インターフェース３８４を介して受信されるコマンドによりスイッチが開状態と閉状態との間で切り替えられる場合、電力が停止されてよい。鉱油の流量は２８ｌ／分であってよく、ヒータ／クーラ装置３８０を跨って上昇する鉱油の温度は７０℃から７５℃であってよく、ガスの流量は５６ｌ／分であってよく、ヒータ／クーラ装置３８０を跨って低下するガスの温度は２５０℃から１５０℃であってよい。
【００３５】
上で説明した装置３００および３８０に類似するヒータ／クーラ装置３９０の配置が図６に示される。ヒータ／クーラ装置３９０は取り付け脚３９２の上に立つ。電気ヒータ３４０が、昇降機構３９４を使用して熱伝達ブロック３１０の内部で降下させられ得るかまたは外部で上昇させられ得る。装置動作情報（温度情報を含む）がモジュール３９６を介して伝送され得る。熱伝達ブロック３１０が、断熱層または断熱ケーシング３９８によって囲まれていてよい。図６では、ガスパイプ３２０および冷却剤パイプ３３０は、同軸上に構成される螺旋形状を有し、実質的に互いに平行に延びる。
【００３６】
図７に示される別の例示の一実施形態によると、ガスヒータ／クーラ装置４００が熱伝達ブロック４１０を有し、その内部に、その温度を制御する必要があるガスを運ぶパイプ４２０が存在する。パイプ４２０は入口４２２を介して熱伝達ブロック４１０に入り、出口４２４を介して熱伝達ブロック４１０から出る。パイプ４２０は好適には良好な熱伝導体である材料から作られ、それによりパイプ４２０の温度を改善するために使用されるエネルギーが低減され、その時間が短縮される。例えば、パイプ４２０はステンレス鋼で作られ得る。パイプ４２０は熱交換を最大にするために螺旋形状を有してよい。
【００３７】
入口４２２近くでは、熱伝達ブロック４１０の内部または外部に、第１の温度センサ４２６がパイプ４２０内のガスの入口温度を測定するように配置され得る。出口４２４近くでは、熱伝達ブロック４１０の内部または外部に、第２の温度センサ４２８がパイプ４２０内のガスの出口温度を測定するように配置され得る。
【００３８】
ファン４３０が、熱伝達ブロック４１０を通る空気流れをパイプ４２０に向かわせるように押圧する。ここでは、空気が冷却剤として言及される。しかし、別のガス混合物が使用されてもよく、熱伝達ブロック４１０を通して冷却および再循環され得る。−４０℃から５０℃の温度を有する空気を使用することさらには周囲空気を使用することの利点は、この事例においては再循環ループが必要とならないことである。ファン４３０によりパイプ４２０に向かうように押圧される空気流れは透過性壁（例えば、空気がそこを通過するのを可能にするための孔を有する壁）を通過することができ、または、この空気は壁内の開口部を通して運ばれてもよい。
【００３９】
電気ヒータ４４０がやはりパイプ４２０の近傍に位置する。したがって、熱伝達ブロック４１０の内部では、パイプ４２０内のガスが、そのガスより低い温度を有する空気流れにより冷却され得、および／または、電気ヒータ４４０によって放射される熱によって加熱され得る。
【００４０】
ガスヒータ／クーラ装置４００は、電気ヒータ４４０に電力を提供する第１の電力供給装置４５０と、ファン４３０に電力を提供する第２の電力供給装置４６０とをさらに有する。
【００４１】
温度センサ４２６、４２８ならびに電力供給装置４５０および４６０が制御装置４７０に接続され得る。制御装置４７０は、温度センサ４２６および４２８から受信される温度情報に基づいて電力供給装置４５０および４６０に信号を送信することができ、それにより、熱伝達ブロック４１０から出るガスが標的の温度に達することができる。
【００４２】
開示される例示の実施形態は装置とその製造方法とを提供し、この装置では、化石燃料（流体）の流れを加熱することおよび／または冷却することのいずれをも実施することができる。本記述が本発明を限定することを意図されないことを理解されたい。逆に、例示の実施形態は、添付の特許請求の範囲によって定義される本発明の精神および範囲内に含まれる代替形態、修正形態および均等物を包含することを意図される。また、これらの例示の実施形態の詳細な説明では、特許請求される本発明を完全に理解することができるように多数の具体的な詳細が記載される。しかし、これらの具体的な詳細なしで種々の実施形態が実施され得ることを当業者であれば理解するであろう。
【００４３】
ここでの例示の実施形態の特徴および要素はこれらの実施形態において特定の組合せで説明されるが、各特徴または要素はこれらの実施形態の別の特徴または要素を用いず単独で使用され得るか、または、本明細書で開示される別の特徴および要素を用いても用いなくても種々の組合せで使用され得る。本記述は、任意のデバイスまたはシステムを製造および使用することおよび採用される任意の方法を実施することを含めて、開示される主題を当業者が実施するのを可能にすることを目的として、開示される主題の複数の実施例を使用する。本主題の特許を受けることができる範囲は特許請求の範囲によって定義され、当業者には思い付くであろう別の実施例を含むことができる。このような別の実施例は特許請求の範囲の範囲内にあることを意図される。
【符号の説明】
【００４４】
１  ガス冷却設備
１０  コンテナ
２０  パイプ
３０  入口
４０  出口
５０  冷却剤入口
６０  入口プレナム
７０  チューブシート
８０  出力プレナム
９０  冷却剤出口
９５  バッフル
１００  ガスヒータ／クーラ装置
１１０  熱伝達ブロック
１２０  パイプ
１３０  入口
１４０  出口
１５０  電気ヒータ
２００  方法
２１０  ステップ
２２０  ステップ
３００  ガスヒータ／クーラ装置
３１０  熱伝達ブロック
３２０  パイプ
３２２  入口
３２４  出口
３２６  第１の温度センサ
３２８  第２の温度センサ
３２９  ガス温度アラーム
３３０  パイプ
３３２  入口
３３４  出口
３３６  第３の温度センサ
３３８  第４の温度センサ
３３９  冷却剤温度アラーム
３４０  電気ヒータ
３５０  電力供給装置
３６０  流れレギュレータ
３７０  制御装置
３８０  ガスヒータ／クーラ装置
３８２  スイッチ
３８４  インターフェース
３９０  ヒータ／クーラ装置
３９２  取り付け脚
３９４  昇降機構
３９６  モジュール
３９８  断熱層または断熱ケーシング
４００  ガスヒータ／クーラ装置
４１０  熱伝達ブロック
４２０  パイプ
４２２  入口
４２４  出口
４２６  第１の温度センサ
４２８  第２の温度センサ
４３０  ファン
４４０  電気ヒータ
４５０  第１の電力供給装置
４６０  第２の電力供給装置
４７０  制御装置
【図１】
2014521914.tif 000003
【図２】
2014521914.tif 000004
【図３】
2014521914.tif 000005
【図４】
2014521914.tif 000006
【図５】
2014521914.tif 000007
【図６】
2014521914.tif 000008
【図７】
2014521914.tif 000009
【国際調査報告】
2014521914.tif 000010
2014521914.tif 000011
2014521914.tif 000012